(57)【要約】【課題】  種々の施設や場所において異なる目的で使用することが可能であり、超大型の発光表示も実現可能とする。【解決手段】  表示対象位置に所定の配列パターンを以って設置され、固体識別ＩＤを付与された多数個の発光モジュール１０と、これら発光モジュール１０を固体識別ＩＤによって選択的に点灯・消灯制御する少なくとも１台の制御コンピュータ２とから構成する。制御コンピュータ２によって各発光モジュール１０に備えた発光体１７の点灯・消灯の制御を行い、全体として所定の制御プログラムに基づく光学表示が行われるようにする。【選択図】  図１
2007171702.tif 000002
【特許請求の範囲】
【請求項１】
少なくとも１個以上の発光体を有する発光部と、前記発光体を点灯・消灯させる発光部駆動回路部と、この駆動回路部を制御する制御部と、表示制御信号を受信して前記制御部に出力する無線受信回路部と、構成各部に対して所定電圧の電源供給を行う電源部とを備え、表示対象位置に所定の配列パターンを以って設置される多数個の発光モジュールと、
前記各発光モジュールの前記発光体を個々に点灯・消灯させて全体で所定の光学表示が行われるようにする制御プログラムを格納する記憶部と、この記憶部から前記制御プログラムを読み出して前記各発光モジュールの前記発光体を点灯・消灯を指示する表示制御信号を出力する制御部と、前記制御部から出力された表示制御信号を無線出力する無線送信部とを備える制御コンピュータとから構成され、
多数個の前記発光モジュールが少なくとも１台の前記制御コンピュータからの前記表示制御信号によって、それぞれの前記発光体が選択的に点灯・消灯されることにより所定の光学表示を行うことを特徴とする無線発光表示装置。
【請求項２】
前記各発光モジュールの前記発光部に備えられる発光体が、発光ダイオードであることを特徴とする請求項１に記載の無線発光表示装置。
【請求項３】
前記各発光モジュールの前記発光部に備えられる発光体が、赤色発光ダイオードと、緑色発光ダイオードと、青色発光ダイオードからなる光３原色の発光ダイオードであることを特徴とする請求項１又は請求項２に記載の無線発光表示装置。
【請求項４】
電源として、前記電源部に電池が用いられることを特徴とする請求項１乃至請求項３のいずれか１項に記載の無線発光表示装置。
【請求項５】
前記電源部が、商用電源と接続されて電源を供給されることを特徴とする請求項１乃至請求項４のいずれか１項に記載の無線発光表示装置。
【請求項６】
複数の目的地に至る各経路に沿って多数個の前記各発光モジュールがそれぞれ配列されて設置され、
入り口部位に、前記制御コンピュータと独立して設けられ、前記記憶部に格納された所定の制御プログラムを選択する制御信号を出力する選択スイッチが備えられた操作ボードが設置され、
前記操作ボードの前記選択スイッチがスイッチング操作されて前記制御コンピュータに対して前記制御信号が出力されることにより、前記制御コンピュータから前記各発光モジュールに対して出力される前記表示制御信号に基づいて所定経路に沿って配列された前記各発光モジュールが点灯して経路表示を行うことを特徴とする請求項１乃至請求項５のいずれか１項に記載の無線発光表示装置。
【請求項７】
前記各経路に沿って設置された前記各発光モジュールが、それぞれの前記発光体により経路の照明を行うことを特徴とする請求項６に記載の無線発光表示装置。
【請求項８】
前記各発光モジュールは個別認証用ＩＤを持ち、前記制御用コンピュータは該個別認証用ＩＤにて各発光モジュールを制御することを特徴とする請求項１乃至請求項７のいずれか１項に記載の無線発光表示装置。
【発明の詳細な説明】
【技術分野】
【０００１】
本発明は、所定の配列パターンを以って多数個の発光モジュールを設置し、これら発光モジュールを制御コンピュータから制御信号を無線出力して選択的に点灯或いは消灯させることにより所定の光学表示を行う無線発光表示装置に関する。
【背景技術】
【０００２】
発光表示装置は、多数個の発光体を例えばマトリックス状に配列し、各発光体を選択的に点灯或いは消灯することによって文字や絵柄を光学的に表示する。例えば図５に示した従来の発光表示装置１００は、表示器１０１と、この表示器１０１を有線或いは無線によって接続するコントローラ１０２とから構成される。発光表示装置１００は、表示器１０１が、発光ダイオード等からなる多数個の発光体をマトリックス状に配列した表示パネルを備えており、また各発光体を点灯或いは消灯する駆動回路部やこの駆動回路部に対して制御信号を出力する制御部等が備えられ、適宜の表示場所に設置される。
【０００３】
発光表示装置１００は、コントローラ１０２が、表示器１０１に対して表示パネルの各発光体を選択的に点灯或いは消灯させることによって所定の電光ガイド等を行うようにさせる制御信号を出力する。発光表示装置１００は、表示器１０１においてコントローラ１０２から出力された制御信号をメモリに蓄積するとともに、制御部から出力する制御信号に基づいてメモリから制御信号を順次読み出して駆動回路部が駆動される。発光表示装置１００においては、所定のプログラム制御によって表示パネルの各発光体が点灯・消灯を制御されて電光ガイド等のスクロール表示が行われるようにする。
【特許文献１】特開平１１−２０２８１４号公報
【発明の開示】
【発明が解決しようとする課題】
【０００４】
従来の発光表示装置１００においては、上述したように表示器１０１とコントローラ１０２とが対をなし、多数個の発光体をマトリックス状に配列した表示パネルを備える表示器１０１に対してコントローラ１０２から制御信号を出力することによって所定の発光表示が行われるように構成される。従来の発光表示装置１００においては、表示器１０１を所定の場所に固定して設置することによって電光ガイド等のもっぱら特定の目的のために発光表示を行うために用いられている。また、従来の発光表示装置１００においては、コントローラ１０２から出力する制御信号を変更することによって任意の電光ガイド等を行うことが可能ではある。
【０００５】
ところで、発光表示装置は、上述したように動きのある光学表示を行うことも可能であり、例えば各種イベントのイルミネーション等に用いることによって特徴的かつ効果的な表示手段を構成することも可能である。発光表示装置においては、かかる目的に用いる場合に、表示器を手軽に移動したり表示色を変えたり発光体の数を変えたりする等の対応が必要となる。
【０００６】
しかしながら、従来の発光表示装置においては、表示器とコントローラとが専用の組み合わせで構成されかつ表示器が固定設置を前提とすることから、上述した対応を手軽に図ることが困難であり仕様に応じた専用装置として構成しなければならない。また、従来の発光表示装置においては、表示の大きさが表示器の仕様により決定され、大型表示に限界があるとともに表示器自体が極めて高価となるとともにこの表示器を設置するための設置施設も大規模となってしまうといった問題がある。
【０００７】
一方、発光表示装置は、動きのある光学表示を行うことが可能であることから、例えば有効な光学誘導表示装置としても転用手段も構成することができる。光学誘導表示装置としては、例えばプラットホームや滑走路の誘導灯のように移動体の進入路に沿って多数個の発光体を設置し、各発光体を所定のタイミングで点灯・消灯させることにより視覚的に光点が移動するように構成した装置も提供されている。かかる光学誘導表示装置は、もっぱら光点の移動を表現すればよく、各発光体に制御回路が付設された比較的簡易に構成される。光学誘導表示装置は、点灯・消灯のタイミングを調整したり経路を変更したりする対応は考慮されておらず、小規模施設に汎用性を以って設置されるものでは無い。
【０００８】
したがって、本発明は、種々の施設や場所において異なる目的で使用することが可能であり、従来全く想定されていなかった超大型の発光表示も実現することを可能とする無線発光表示装置を提供することを目的に提案されたものである。
【課題を解決するための手段】
【０００９】
上述した目的を達成する本発明にかかる無線発光表示装置は、表示対象位置に所定の配列パターンを以って設置される多数個の発光モジュールと、これら発光モジュールを選択的に点灯・消灯制御する少なくとも１台の制御コンピュータとから構成される。無線発光表示装置は、各発光モジュールが、少なくとも１個以上の発光体を有する発光部と、発光体を点灯・消灯させる発光部駆動回路部と、この駆動回路部を制御する制御部と、表示制御信号を受信して制御部に出力する無線受信回路部と、構成各部に対して所定電圧の電源供給を行う電源部とを備える。無線発光表示装置は、制御コンピュータが、各発光モジュールの発光体を個々に点灯・消灯させて全体で所定の光学表示が行われるようにする制御プログラムを格納する記憶部と、この記憶部から所定の制御プログラムを読み出して各発光モジュールの発光体を点灯・消灯を指示する表示制御信号を出力する制御部と、この制御部から出力された表示制御信号を無線出力する無線送信部とを備える。
【００１０】
無線発光表示装置においては、互いに独立した多数個の発光モジュールが、それぞれ少なくとも１台の制御コンピュータから出力される表示制御信号を無線受信部によって受信し、この表示制御信号に基づいて制御部から制御信号が出力されて駆動回路部が駆動されてそれぞれの発光体が選択的に点灯・消灯されることにより、全体で制御プログラムに基づいた所定の光学表示が行われるようにする。
【００１１】
無線発光表示装置は、各発光モジュールの発光部に備えられる発光体として、比較的低い消費電力と高輝度特性を有する発光ダイオードが用いられる。また、無線発光表示装置は、各発光モジュールの発光部に備えられる発光体として、赤色発光ダイオードと、緑色発光ダイオードと、青色発光ダイオードからなる光３原色の発光ダイオードが用いられ、これら光３色発光ダイオードの点灯・消灯を制御することによって各発光モジュールが所定の色調に光輝して全体としてカラー光表示が行われるようにする。
【００１２】
無線発光表示装置は、電源部に一次電池或いは充電が可能な二次電池が備えられ、これら電池から構成各部に対して電源が供給されるようにする。したがって、無線発光表示装置においては、制御コンピュータから送信される表示制御信号の受信可能領域内であれば、各発光モジュールを任意の場所に設置することが可能である。無線発光表示装置においては、各発光モジュールの設置方法によって任意の光学表示を行うことが可能であり、広範囲に設置することによって極めて大型の光学表示を行うことも可能とする。
【００１３】
無線発光表示装置は、複数の目的地に至る各経路に沿って多数個の発光モジュールをそれぞれ配列して設置するとともに、制御コンピュータと独立して記憶部に格納された所定の制御プログラムを選択する制御信号を出力する選択スイッチを設けた操作ボードを例えば経路の途中に設置して構成する。無線発光表示装置においては、操作ボードの選択スイッチがスイッチング操作されて制御コンピュータに対して制御信号が出力されることにより、制御コンピュータから各発光モジュールに対して出力される表示制御信号に基づいて所定経路に沿って配列された各発光モジュールが点灯して経路表示が行われるようにする。無線発光表示装置においては、各経路に沿って設置された各発光モジュールの発光体が経路の照明を行う照明源として兼用される。また、無線発光表示装置の各発光モジュールに個別認証用ＩＤを付与することによって、制御コンピュータは各発光モジュールを個別認証することによって制御できることも可能とする。
【発明の効果】
【００１４】
以上のように構成された本発明にかかる無線発光表示装置によれば、少なくとも１台の制御コンピュータによって互いに独立した多数個の発光モジュールの発光体の点灯・消灯の制御を行って全体として所定の制御プログラムに基づく光学表示が行われるように構成したことにより、発光モジュールの個数や設置場所を任意に設定して様々な光学表示を行うことが可能となる。したがって、無線発光表示装置によれば、各種々の施設や場所において異なる目的で互換使用することが可能であり、また各発光モジュールを広い範囲で設置することによって従来全く想定されていなかった巨大な発光表示も実現することが可能である。
【発明を実施するための最良の形態】
【００１５】
以下、本発明の実施の形態として示す無線発光表示装置１について図面を参照して詳細に説明する。無線発光表示装置１は、図１及び図２に示すように１台の制御コンピュータ２と、この制御コンピュータ２とそれぞれ無線接続された多数個の発光モジュール１０Ａ〜１０Ｎ（以下、個別に説明する場合を除き、発光モジュール１０と総称する。）とによってシステム構成される。無線発光表示装置１は、制御コンピュータ２と各発光モジュール１０とが、所定の無線方式、例えばＢｌｕｅｔｏｏｈやＷｉｒｅｌｅｓｓＵＳＢ等を利用した近距離無線方式、或いは２００ｍ程度の長距離伝送が可能なＭＩＭＯ（multiple input multiple output）技術による空間多重伝送技術に基づく次世代高速ＬＡＮ「ＩＥＥＥ８０２．１１ｎ」技術を利用した無線方式、その他適宜の無線方式によって無線接続される。
【００１６】
無線発光表示装置１は、制御コンピュータ２として、上述した無線送受信機能を備える一般的なパーソナルコンピュータが用いられる。制御コンピュータ２は、図１に示すように、ＣＰＵ等を有する制御部３と、記憶メモリを有する記憶部４と、上述した無線送受信機能を有する無線送信部５と、表示器６及びキーボード等からなる入力部７とから構成される。制御コンピュータ２は、記憶部４内に各発光モジュール１０を個々に点灯・消灯させて全体で所定の光学表示が行われるようにする制御プログラムを格納する。
【００１７】
制御コンピュータ２は、多数の制御プログラムが記憶部４内に格納されており、入力部７を介して表示器６に呼び出して確認するとともに特定の制御プログラムの選択操作が行われる。制御コンピュータ２は、例えば表示器６と入力部７等を利用して新たな制御プログラムを作成し、記憶部４内に格納することが可能である。制御コンピュータ２は、上述したように汎用のパーソナルコンピュータを用いることから、記憶部４に格納した制御プログラムを適宜の記憶媒体にコピーして他の制御コンピュータ２や現場に設置した無線発光表示装置１の専用コントローラに読み込ませるようにしてもよい。
【００１８】
制御コンピュータ２は、表示器６と入力部７とによって記憶部４から呼び出されて選択された所定の制御プログラムに基づいて、制御部３から各発光モジュール１０を個々に制御する表示制御信号が出力される。制御コンピュータ２は、無線送信部５において表示制御信号を所定形式の高周波信号に変換して、アンテナ８から各発光モジュール１０に対して表示制御信号を送信する。
【００１９】
無線発光表示装置１は、各発光モジュール１０が、図１に示すように筐体１１の内部に設置された図示しない基板に、発光部１２と発光部駆動回路部１３と制御部１４と無線受信回路部１５と電源部１６とが設けられ、持ち運びが自在な可搬装置として構成される。発光モジュール１０は、発光部１２が、詳細を省略するが筐体１１に形成した表示開口部１１Ａに発光面を臨ませて基板に搭載された少なくとも１個以上の発光体１７を備えている。発光部１２には、発光体１７として、低消費電力特性と高輝度特性を有する発光ダイオードが用いられる。
【００２０】
発光モジュール１０は、それぞれがカラーの光学表示を行うために、図１に示すように発光部１２の発光体１７が、光３原色の赤色発光ダイオード１８と緑色発光ダイオード１９と青色発光ダイオード２０とから構成される。発光モジュール１０は、これら赤色発光ダイオード１８と緑色発光ダイオード１９と青色発光ダイオード２０とを選択的に点灯することにより表示開口部１１Ａから所定の色調の表示光が出射されるようにする。なお、発光モジュール１０は、可搬性を損なわず、またある程度の時間で光学表示を行うことが可能であることを条件に、さらに多数個の発光ダイオードを搭載して高輝度化を図るようにしてもよい。
【００２１】
発光モジュール１０は、発光部駆動回路部１３に対して詳細を後述するように制御部１４から制御信号が出力され、この制御信号に基づいて発光部駆動回路部１３が発光部１２の各発光ダイオード１８〜２０を点灯或いは消灯させる。発光部駆動回路部１３は、電源部１６から供給される電源電圧を所定の駆動電圧に変換して各発光ダイオード１８〜２０に印加することによって、これら各発光ダイオード１８〜２０を点灯させる。
【００２２】
発光モジュール１０は、ＣＰＵ等を有する制御部１４によって全体の制御動作が行われる。制御部１４は、後述するように無線受信回路部１５を介して制御コンピュータ２から送信される表示制御信号に基づいて、発光部駆動回路部１３に対して各発光ダイオード１８〜２０を点灯・消灯させる所定のスイッチング動作を行わせる制御信号を出力する。制御部１４は、無線受信回路部１５によって受信したシリーズの表示制御信号を図示しない記憶部に一次記憶させ、所定のタイミングで順次読み出して発光部駆動回路部１３を駆動させる。
【００２３】
発光モジュール１０は、無線受信回路部１５が、上述した無線方式によって制御コンピュータ２から送信されてアンテナ２１で受信した表示制御信号を復調して制御部１４に出力する。なお、無線受信回路部１５は、所定のレベルで表示制御信号が受信されるように受信感度の調整機能を備えてもよい。発光モジュール１０は、もっぱら制御コンピュータ２から送信される表示制御信号の受信機能を備えていればよいが、制御コンピュータ２側へ信号送出する機能を備えてもよい。発光モジュール１０は、例えば発光体１７が切れた場合に制御部１４においてこれを検出し、アラーム信号を無線受信回路部１５を介して制御コンピュータ２側へ送信するようにしてもよい。
【００２４】
発光モジュール１０は、電源部１６から上述した各部１２〜１５に対して電源電圧を供給する。発光モジュール１０は、詳細を省略するが、電源部１６に内蔵された電池２２を主電源とするが、例えばＡＣ−ＤＣ変換回路等の電源回路部を備えて商用電源と接続して用いることを可能としてもよい。発光モジュール１０は、電池２２として乾電池等の一次電池や、充電が可能な二次電池が用いられるように構成される。
【００２５】
無線発光表示装置１においては、以上のように構成された多数個の発光モジュール１０を、例えば図２に示すように縦横等間隔でマトリックス状に配列して単位ユニット２５を構成する。無線発光表示装置１においては、同図に示すように多数個の単位ユニット２５Ａ〜２５Ｎをパターン配列することによって大型の表示部を構成する。
【００２６】
無線発光表示装置１においては、各単位ユニット２５において多数個の発光モジュール１０が互いに独立しており、不要な箇所には発光モジュール１０を抜いたり配列状態を変えて配列するようにしてもよい。無線発光表示装置１においては、精度の高い光学表示を行うために例えば各単位ユニット２５内で多数個の発光モジュール１０を位置決めして設置する場合でも、これら発光モジュール１０を強固に固定する必要は無い。
【００２７】
無線発光表示装置１においては、各単位ユニット２５を構成する多数個の発光モジュール１０が、１台の制御コンピュータ２によってそれぞれ独立に制御される。無線発光表示装置１においては、上述したように制御コンピュータ２に、多数個の発光モジュール１０についてそれぞれの発光体１７を個々に点灯・消灯させる制御プログラムが格納されている。各単位ユニット２５は、各発光モジュール１０を位置決めして所定の場所に設置すればよく、上述したようにマトリックス状に配列する必要は無い。無線発光表示装置１においては、この制御プログラムに基づいて制御コンピュータ２から各発光モジュール１０に対して表示制御信号が出力される。
【００２８】
無線発光表示装置１においては、この表示制御信号に基づいて各単位ユニット２５を構成する多数個の発光モジュール１０においてそれぞれの発光体１７が選択的に点灯・消灯することにより、所定の光学表示が行われる。無線発光表示装置１においては、例えば第１単位ユニット２５Ａが「あ」を表示し、第２単位ユニット２５Ｂが「し」を表示し、第３単位ユニット２５Ｃが「た」を表示し、全体で「あした」の光学表示が行われるようにする。無線発光表示装置１においては、さらに各単位ユニット２５を構成する多数個の発光モジュール１０がそれぞれの発光体１７を所定のタイミングで選択的に点灯・消灯させることにより、例えばスクロール表示が行われるようになる。
【００２９】
無線発光表示装置１においては、上述した各単位ユニット２５をさらに例えば縦横等間隔でマトリックス状に配列することによって大きな表示ユニットを構成するとともに、これら多数の表示ユニットを適宜に配列することによってさらに大型の光学表示を行うことが可能である。図３に示した無線発光表示装置１の適用例は、京都等で行われている「大文字焼き」のように山肌に上述した構成の表示ユニットを配列することによって適宜の大型イルミネーション表示を行うようにしたイベント適用例である。
【００３０】
無線発光表示装置１は、かかる大型の光学表示も、多数個の発光モジュール１０を例えば山肌に施した縄張りに沿って設置して各単位ユニット２５を構成するとともに、さらにこれら単位ユニット２５を適宜に配列することによって実現可能である。無線発光表示装置１は、各単位ユニット２５を構成する多数個の発光モジュール１０の点灯・消灯を制御コンピュータ２の制御プログラムに基づいて任意に制御することが可能であり、また上述したようにカラーの光学表示を行うことも可能である。
【００３１】
したがって、無線発光表示装置１は、従来では全く実現が不可能であった広大な領域において変化に富んだ大型イルミネーション表示イベントの実施を可能とする。無線発光表示装置１は、上述したように各単位ユニット２５を構成する多数個の発光モジュール１０が互いに独立して自由に持ち運びが可能であり、広大な領域においても配線作業を要することなく自由に設置される。
【００３２】
本発明は、上述した無線発光表示装置１に限定されず、例えば図４に示した岩風呂３１や内風呂３２或いは露天風呂３３等のように多数の風呂を有する旅館等において、各風呂３１〜３３への案内を行う無線光学誘導装置３０としても適用される。無線光学誘導装置３０は、図示しないが所定の誘導制御プログラムを格納した制御コンピュータと、多数個の発光モジュール３４を備える基本的な構成を上述した無線発光表示装置１と同様とし、制御コンピュータと独立して設置される案内表示板を兼ねる操作ボード３５を備えた構成に特徴がある。
【００３３】
無線光学誘導装置３０は、制御コンピュータと発光モジュール３４とが上述した無線発光表示装置１の制御コンピュータ２と各発光モジュール１０と同等であることから、これらの詳細な説明を省略する。無線光学誘導装置３０においては、図４に示すように入り口３６から各風呂３１〜３３に至る廊下に沿って所定の間隔を以って多数個の発光モジュール３４が設置される。無線光学誘導装置３０においては、発光モジュール３４が、例えば通路の床面に埋設して設置されて、後述する各風呂３１〜３３の選択操作が行われると選択した風呂に至る経路を光学的に案内する。
【００３４】
なお、無線光学誘導装置３０においては、各発光モジュール３４が、例えば通路の壁や天井に設置されることにより、選択された風呂に至る経路を光学的に案内するとともに、通路の照明も行うようにする。無線光学誘導装置３０においては、各発光モジュール３４が、それぞれ商用電源からの電源供給を得やすい屋内に設置されるとともに長期間に亘り使用されることから、商用電源と接続される。
【００３５】
操作ボード３５には、図４において拡大して示すように各風呂３１〜３３の表示とともにそれぞれに対応して選択スイッチ３６〜３８が設けられている。操作ボード３５には、詳細を省略するが制御部や電源部とともに無線送信部が備えられており、いずれか１個の選択スイッチが操作されると管理室等に設置された制御コンピュータに対して選択信号を無線出力する。操作ボード３５は、制御コンピュータと無線接続されることによって任意の位置に設置することが可能であり、任意の位置に設置可能な各発光モジュール３４とともに施工性の向上や互換性が図られるようにする。なお、操作ボード３５は、制御コンピュータに対して、例えば有線により接続するようにしてもよい。
【００３６】
以上のように構成された無線光学誘導装置３０においては、入り口３６に設置された操作ボード３５が入浴客によって操作される。無線光学誘導装置３０においては、例えば内風呂選択スイッチ３７のスイッチング操作が行われると、操作ボード３５から制御コンピュータに対して内風呂選択信号を出力する。無線光学誘導装置３０においては、この内風呂選択信号に基づいて制御コンピュータにおいて内風呂３２の経路に沿って設置した発光モジュール３４を選択する制御プログラムの読み出しが行われる。無線光学誘導装置３０においては、制御コンピュータから選択した各発光モジュール３４に対して表示制御信号が出力される。無線光学誘導装置３０においては、この表示制御信号に基づいて各発光モジュール３４が点灯し、内風呂３２に至る経路への光学表示が行われるようにする。
【図面の簡単な説明】
【００３７】
【図１】本発明の実施の形態として示す無線発光表示装置の構成図である。
【図２】同無線発光表示装置を用いた発光表示装置の構成図である。
【図３】同無線発光表示装置を用いた大型イルミネーション表示イベントへの適用例を示す図である。
【図４】同無線発光表示装置を用いた光学誘導装置の構成図である。
【図５】従来の発光表示装置の構成図である。
【符号の説明】
【００３８】
１        無線発光表示装置
２        制御コンピュータ
３        制御部
４        記憶部
５        無線送信部
６        表示器
７        入力部
８        アンテナ
１０      発光モジュール
１１      筐体
１２      発光部
１３      発光部駆動回路部
１４      制御部
１５      無線受信回路部
１６      電源部
１７      発光体
１８      赤色発光ダイオード
１９      緑色発光ダイオード
２０      青色発光ダイオード
２１      アンテナ
２２      電池
３０      無線光学誘導装置
３１      岩風呂
３２      内風呂
３３      露天風呂
３４      発光モジュール
３５      操作ボード
３６      岩風呂選択スイッチ
３７      内風呂選択スイッチ
３８      露天風呂選択スイッチ
【図１】
2007171702.tif 000003
【図２】
2007171702.tif 000004
【図３】
2007171702.tif 000005
【図４】
2007171702.tif 000006
【図５】
2007171702.tif 000007